(57)【要約】【課題】聴覚障害者に音声を聞かせることができる。【解決手段】サイネージシステム１０では、サイネージ端末２０は、音声情報に基づき音声を出力する音声出力部２２と、音声情報を送信する送信部２３とを有している。また、音声出力装置３０は、サイネージ端末２０から受信した音声情報を受信する受信部３１と、音声情報に基づき音声を骨伝導により出力する骨伝導出力部３２とを有している。このため、聴覚障害がある視聴者は、サイネージ端末２０の表示を観ながら、サイネージ端末２０の音声出力部２２で出力される音声を、音声出力装置３０の骨伝導出力部３２を介して聞くことができるようになる。【選択図】図１
2018074367.tif 000002
【特許請求の範囲】
【請求項１】
音声情報に基づき音声を出力する音声出力部と、
前記音声情報を送信する送信部と、
を備えるサイネージ端末と、
前記音声情報を受信する受信部と、
前記音声情報に基づき前記音声を骨伝導により出力する骨伝導出力部と、
を備える音声出力装置と、
を有するサイネージシステム。
【請求項２】
前記音声出力装置は、
接触を検知する検知部を備え、
前記骨伝導出力部は、前記検知部が前記接触を検知すると、前記音声を出力する、
請求項１記載のサイネージシステム。
【請求項３】
前記音声出力装置は、
視聴者が寄りかかる部材の前記視聴者の肩部分が接触する箇所を含む領域に前記検知部が設けられ、
前記部材の前記視聴者の頭部部分が接触する箇所を含む領域に前記骨伝導出力部が設けられている、
請求項２記載のサイネージシステム。
【請求項４】
前記音声出力装置は、
視聴者が座る座面上に前記検知部が設けられ、
前記座面に座った前記視聴者が寄りかかる背もたれの前記視聴者の頭部部分が接触する箇所を含む領域に前記骨伝導出力部が設けられている、
請求項２記載のサイネージシステム。
【請求項５】
音声情報に基づき音声を出力する音声出力部と、
自身を識別する識別情報を送信する送信部と、
を備えるサイネージ端末と、
前記識別情報に対応付けられた前記音声情報を保持する保持部と、
前記保持部を参照して、前記識別情報に基づき、前記音声情報を特定し、特定した前記音声情報を配信する配信部と、
を備えるサーバと、
前記サイネージ端末から受信した前記識別情報を前記サーバに送信して、前記サーバに前記識別情報に対応付けられた前記音声情報を配信させる配信要求部と、
前記サーバから配信された前記音声情報に基づき骨伝導により前記音声を出力する骨伝導出力部と、
を備える音声出力装置と、
を有するサイネージシステム。
【請求項６】
前記サイネージ端末を複数有し、
前記音声出力装置は、
前記複数のサイネージ端末のうち一のサイネージ端末から、前記識別情報を受信する、
請求項５記載のサイネージシステム。
【請求項７】
前記音声出力装置では、
前記配信要求部は、前記一のサイネージ端末から受信した新たな識別情報に基づき、前記サーバに前記新たな識別情報に対応付けられた音声情報を配信させる、
請求項６記載のサイネージシステム。
【発明の詳細な説明】
【技術分野】
【０００１】
本発明は、サイネージシステムに関する。
【背景技術】
【０００２】
気導音用のスピーカと共に、骨伝導用によるスピーカを備える携帯電話機が提案されている。このような携帯電話機では、周囲騒音が大きい場合には、気導音用から骨伝導用によるスピーカに切り替える。これにより、通話者は周囲騒音が大きい場合でも通話を行うことができる。
【０００３】
ところで、近年、店舗・通り沿い・銀行・ホテル・映画館・空港・駅・アミューズメント施設などのパブリックスペースにおいて、映像や情報などを表示する広告媒体として、デジタルサイネージ（Digital Signage）が利用されている。デジタルサイネージは、映像配信に加え、音声配信も行うことができる。
【先行技術文献】
【特許文献】
【０００４】
【特許文献１】特開２００７−１９８９８号公報
【特許文献２】特開２０１６−７５７７１号公報
【発明の概要】
【発明が解決しようとする課題】
【０００５】
しかし、聴覚障害者は、特に、パブリックスペースにおいて、デジタルサイネージから発生される音声を聞くことが難しい。
本発明は、聴覚障害者に音声を聞かせることができるサイネージシステムを提供することを目的とする。
【課題を解決するための手段】
【０００６】
本発明の一観点によれば、音声情報に基づき音声を出力する音声出力部と、前記音声情報を送信する送信部と、を備えるサイネージ端末と、前記音声情報を受信する受信部と、前記音声情報に基づき前記音声を骨伝導により出力する骨伝導出力部と、を備える音声出力装置と、を有するサイネージシステムが提供される。
【０００７】
また、本発明の一観点によれば、音声情報に基づき音声を出力する音声出力部と、自身を識別する識別情報を送信する送信部と、を備えるサイネージ端末と、前記識別情報に対応付けられた前記音声情報を保持する保持部と、前記保持部を参照して、前記識別情報に基づき、前記音声情報を特定し、特定した前記音声情報を配信する配信部と、を備えるサーバと、前記サイネージ端末から受信した前記識別情報を前記サーバに送信して、前記サーバに前記識別情報に対応付けられた前記音声情報を配信させる配信要求部と、前記サーバから配信された前記音声情報に基づき骨伝導により前記音声を出力する骨伝導出力部と、を備える音声出力装置と、を有するサイネージシステムが提供される。
【発明の効果】
【０００８】
開示の技術によれば、聴覚障害者に音声を聞かせることができる。
【図面の簡単な説明】
【０００９】
【図１】第１の実施の形態のサイネージシステムを説明するための図である。
【図２】第２の実施の形態のサイネージシステムの一例を示す図である。
【図３】第２の実施の形態のサイネージ端末のハードウェア構成例を示す図である。
【図４】第２の実施の形態の音声出力装置のハードウェア構成例を示す図である。
【図５】第２の実施の形態の音声出力装置で実行される骨伝導出力処理を示すフローチャートである。
【図６】第２の実施の形態のサイネージシステムにおける音声出力装置の別の具体例を示す図である。
【図７】第３の実施の形態のサイネージシステムの一例を示す図である。
【図８】第３の実施の形態の携帯端末および音声出力端末のハードウェア構成例を示す図である。
【図９】第３の実施の形態のサーバが有する機能を表す機能ブロック図である。
【図１０】第３の実施の形態の携帯端末が有する機能を表す機能ブロック図である。
【図１１】第３の実施の形態のサイネージシステムで用いられる情報を説明するための図である。
【図１２】第３の実施の形態のサイネージシステムで実行される音声出力処理を示すシーケンスである。
【図１３】第３の実施の形態の携帯端末で実行される音声出力処理を示すフローチャートである。
【図１４】第３の実施の形態の携帯端末で実行される音声出力処理で携帯端末が受信する情報を説明するための図である。
【図１５】第４の実施の形態のサイネージ端末が有する機能を表す機能ブロック図である。
【図１６】第４の実施の形態のサイネージ端末で実行される骨伝導出力切替処理を示すフローチャートである。
【図１７】第４の実施の形態の骨伝導出力切替処理中にサイネージ端末で表示される案内例を示す図である。
【発明を実施するための形態】
【００１０】
以下、図面を参照して実施の形態について説明する。
［第１の実施の形態］
第１の実施の形態のサイネージシステムについて、図１を用いて説明する。
【００１１】
図１は、第１の実施の形態のサイネージシステムを説明するための図である。
サイネージシステム１０は、サイネージ端末２０と、音声出力装置３０とを有する。
サイネージ端末２０は、例えば、店舗、銀行、通り沿い、ホテル、映画館、空港、駅、アミューズメント施設などのパブリックスペースに設置されるものである。このようなサイネージ端末２０は、表示部２１と、音声出力部２２と、送信部２３とを有している。
【００１２】
表示部２１は、例えば、ディスプレイなどの表示装置であって、広告、地図、街の案内などの画像または動画の情報を表示する。また、表示部２１は、タッチパネルを備えることも可能であり、視聴者からのタッチ入力に基づき、表示画像を変化させることも可能である。
【００１３】
音声出力部２２は、例えば、スピーカなどであって、表示部２１に情報を表示しながら、音声信号に基づき音声を出力する。
送信部２３は、音声信号やサイネージ端末２０の識別情報などを外部に送信する。
【００１４】
一方、音声出力装置３０は、サイネージ端末２０から受け付けた音声情報に基づいて音声を骨伝導により出力するものである。このような音声出力装置３０は、受信部３１と、骨伝導出力部３２とを有している。
【００１５】
受信部３１は、サイネージ端末２０から送信された音声信号を受信する。なお、サイネージ端末２０の送信部２３と、音声出力装置３０の受信部３１との通信は、例えば、Ｂｌｕｅｔｏｏｔｈ（登録商標）、赤外線などの無線、または、サイネージ端末２０と音声出力装置３０との間を接続し、地下を這わせた有線を用いることができる。
【００１６】
骨伝導出力部３２は、受信部３１が受信した音声信号に基づき音声を骨伝導により出力する。骨伝導出力部３２は、例えば、骨伝導スピーカである。
このような音声出力装置３０は、例えば、サイネージ端末２０の表示部２１に対向して配置された壁や支柱に受信部３１と共に骨伝導出力部３２が設置されたものである。
【００１７】
または、音声出力装置３０は、携帯端末に受信部３１が設置され、そして、携帯端末に有線または無線により接続されたヘッドフォンに骨伝導出力部３２が設置されたものである。
【００１８】
次に、このようなサイネージシステム１０において、聴覚障害がある視聴者によるサイネージ端末２０に対する視聴方法について説明する。
サイネージ端末２０は、表示部２１に広告、地図、街の案内などの情報に関する画像または動画を表示しつつ、音声出力部２２から画像または動画に付随した音声を出力する。さらに、サイネージ端末２０では、送信部２３が音声信号を無線により音声出力装置３０に送信する。
【００１９】
音声出力装置３０は、サイネージ端末２０から音声信号を受信部３１が受信して、骨伝導出力部３２が、受信した音声信号に基づき骨伝導による音声出力を行う。
ここで、例えば、音声出力装置３０が、サイネージ端末２０の表示部２１に対向して配置された壁に受信部３１と共に骨伝導出力部３２が設置されている場合、視聴者は、壁に寄りかかることで、骨伝導出力部３２によりサイネージ端末２０から出力されている音声を聞くことができる。したがって、視聴者はサイネージ端末２０の表示部２１の表示を観ながら、サイネージ端末２０の音声出力部２２で出力される音声を、壁の骨伝導出力部３２を介して聞くことができる。
【００２０】
また、音声出力装置３０が、壁と同様に支柱に対して受信部３１および骨伝導出力部３２が設置される場合も上記と同様に、視聴者が当該支柱に寄りかかることで、サイネージ端末２０の表示部２１の表示を観ながら、サイネージ端末２０の音声出力部２２で出力される音声を、支柱の骨伝導出力部３２を介して聞くことができる。
【００２１】
また、音声出力装置３０が、携帯端末に受信部３１を設け、また、携帯端末に接続されたヘッドフォンに骨伝導出力部３２が設置されている場合、視聴者は当該ヘッドフォンを装着することで、サイネージ端末２０の表示部２１の表示を観ながら、サイネージ端末２０の音声出力部２２で出力される音声を、ヘッドフォンの骨伝導出力部３２を介して聞くことができる。
【００２２】
このように、上記サイネージシステム１０では、サイネージ端末２０は、表示部２１と、音声信号に基づき音声を出力する音声出力部２２と、音声信号を送信する送信部２３とを有している。また、音声出力装置３０は、サイネージ端末２０から受信した音声信号を受信する受信部３１と、音声信号に基づき音声を骨伝導により出力する骨伝導出力部３２とを有している。
【００２３】
このため、聴覚障害がある視聴者は、サイネージ端末２０の表示部２１の表示を観ながら、サイネージ端末２０の音声出力部２２で出力される音声を、音声出力装置３０の骨伝導出力部３２を介して聞くことができるようになる。
【００２４】
したがって、サイネージ端末２０から出力される画像または動画と共に音声を、聴覚障害がある視聴者でも健常者と同様に認知でき、必要な情報を得ることができるようになる。
【００２５】
［第２の実施の形態］
第２の実施の形態では、第１の実施の形態の音声出力装置を具体化して説明する。
まず、第２の実施の形態のサイネージシステムについて、図２を用いて説明する。
【００２６】
図２は、第２の実施の形態のサイネージシステムの一例を示す図である。
サイネージシステム１００は、サイネージ端末２００と、音声出力装置３００と、ネットワーク５００を介してサイネージ端末２００に接続されているサーバ４００とを有している。
【００２７】
なお、音声出力装置３００は、壁３１１（壁面）に設置されている。
このようなサイネージシステム１００では、パブリックスペースにおいて、壁３１１（音声出力装置３００）がサイネージ端末２００に対向して配置されている。視聴者Ｐは、サイネージ端末２００と壁３１１との間にて、サイネージ端末２００を視聴することができる。
【００２８】
次に、サイネージシステム１００のサイネージ端末２００のハードウェア構成例について、図３を用いて説明する。
図３は、第２の実施の形態のサイネージ端末のハードウェア構成例を示す図である。
【００２９】
サイネージ端末２００は、制御ユニット２１０と、表示ユニット２２０と、通信接続ユニット２３０と、撮像ユニット２４０と、検知ユニット２５０と、集音ユニット２６０（集音部）とを有している。
【００３０】
制御ユニット２１０は、サイネージ端末２００全体を制御するものである。このような制御ユニット２１０は、ＣＰＵ（Central Process Unit）２１１と、ＲＡＭ（Random Access Memory）２１２と、ＨＤＤ（Hard Disk Drive）２１３と、グラフィックインタフェース２１４と、通信インタフェース２１５と、入出力インタフェース２１６とがバス２１７を介して通信可能に接続されている。
【００３１】
ＣＰＵ２１１は、ＲＡＭ２１２およびＨＤＤ２１３といった記録媒体に記憶された各種プログラムを実行することにより、サイネージ端末２００全体を統括的に制御する。ＣＰＵ２１１は、例えば、第１の実施の形態における、少なくとも、音声出力部２２の機能を果たすことができる。
【００３２】
ＲＡＭ２１２は、ＣＰＵ２１１によって実行させるＯＳ（Operating System）のプログラムやアプリケーションプログラムの少なくとも一部を一時的に格納する。また、ＲＡＭ２１２は、ＣＰＵ２１１による処理に必要な各種データ（例えば、各種ＩＤなど）を格納する。
【００３３】
ＨＤＤ２１３は、ＯＳやアプリケーションプログラムを格納する。
グラフィックインタフェース２１４は、表示ユニット２２０のディスプレイ２２１が接続されている。グラフィックインタフェース２１４は、ＣＰＵ２１１の制御の下に、各種の情報をディスプレイ２２１の画面に表示させる。
【００３４】
通信インタフェース２１５は、ネットワーク５００（図２）に接続され、サーバ４００との間でデータ（各種の情報、電文、通知など）の送受信を行う。
なお、ＣＰＵ２１１によって実行されるＯＳのプログラムやアプリケーションプログラムは、図示しない外部装置から、ネットワーク５００を介して、例えば、ＲＡＭ２１２に格納されて、ＣＰＵ２１１によって実行されてもよい。また、後述する可搬型記録媒体２７０に格納され、後述の入出力インタフェース２１６を介して、例えば、ＲＡＭ２１２に格納されて、ＣＰＵ２１１によって実行されてもよい。
【００３５】
入出力インタフェース２１６には、表示ユニット２２０のタッチパネル３２２およびスピーカ２２３と、通信接続ユニット２３０と、撮像ユニット２４０、検知ユニット２５０と、集音ユニット２６０とが接続されている。また、入出力インタフェース２１６は、可搬型記録媒体２７０に対する情報の書き込みおよび読み出しが可能な可搬型記録媒体インタフェース（図示を省略）と接続可能になっている。また、入出力インタフェース２１６は、タッチパネル２２２と、通信接続ユニット２３０と、撮像ユニット２４０と、検知ユニット２５０と、集音ユニット２６０と、可搬型記録媒体インタフェース（図示を省略）と、から送られてくる信号を、バス２１７を介してＣＰＵ２１１に送信する。また、入出力インタフェース２１６は、ＣＰＵ２１１から送られてくる制御信号を、バス２１７を介して対応するユニット（タッチパネル２２２と、スピーカ２２３と、通信接続ユニット２３０と、撮像ユニット２４０と、検知ユニット２５０と、集音ユニット２６０と、可搬型記録媒体インタフェース）へ送信する。
【００３６】
表示ユニット２２０は、ディスプレイ２２１と、タッチパネル２２２と、スピーカ２２３とを含んでいる。記述の通り、ディスプレイ２２１は、グラフィックインタフェース２１４に、タッチパネル２２２およびスピーカ２２３は入出力インタフェース２１６にそれぞれ接続されている。
【００３７】
通信接続ユニット２３０は、表示ユニット２２０のスピーカ２２３から出力する音声に関する音声情報を、Ｂｌｕｅｔｏｏｔｈ、赤外線などの無線により出力して、後述する音声出力装置３００に接続して、情報の送受信を行う。
【００３８】
撮像ユニット２４０は、例えば、Ｗｅｂカメラであって、サイネージ端末２００の前を撮像することができる。
検知ユニット２５０は、例えば、人感センサであって、サイネージ端末２００の前の視聴者を検知することができる。
【００３９】
集音ユニット２６０は、例えば、マイクであって、環境音を集音することができる。
なお、サイネージ端末２００において、制御ユニット２１０は、例えば、ＦＰＧＡ（Field Programmable Gate Array）やＤＳＰ（Digital Signal Processor）などのモジュールを含む構成とすることもできる。この場合、制御ユニット２１０は、不揮発性メモリ（例えば、ＥＥＰＲＯＭ（Electrically Erasable and Programmable Read Only Memory）、フラッシュメモリ、フラッシュメモリ型メモリカードなど）を含み、モジュールのファームウェアを記憶する。不揮発性メモリには、可搬型記録媒体２７０、或いは通信インタフェース２１５を介してファームウェアを書き込むことができる。このように制御ユニット２１０は、不揮発性メモリに記憶されているファームウェアを書き換えることにより、ファームウェアの更新をすることもできる。
【００４０】
また、サーバ４００については、図示を省略するものの、サイネージ端末２００の制御ユニット２１０が有するＣＰＵと、ＲＡＭと、ＨＤＤと、通信インタフェースとを少なくとも有している。このようなサーバ４００は、通信インタフェースを介して、ネットワーク５００（図２）（または、場合によっては、音声出力装置３００）に接続され、サイネージ端末２００との間（または、音声出力装置３００との間）でデータ（各種の情報、電文、通知など）の送受信を行う。
【００４１】
次に、音声出力装置３００のハードウェア構成例について、図４を用いて説明する。
図４は、第２の実施の形態の音声出力装置のハードウェア構成例を示す図である。
なお、図４（Ａ）は、音声出力装置３００のハードウェア構成例をブロック図で、図４（Ｂ）は、音声出力装置３００のハードウェア構成例を模式図でそれぞれ表している。
【００４２】
音声出力装置３００は、図４（Ａ）に示されるように、通信接続部３２０と、感圧検知部３３０と、骨伝導出力部３４０とを有している。
通信接続部３２０は、接続対象となるサイネージ端末の接続ＩＤのリストを予め保持している。通信接続部３２０は、所定のサイネージ端末２００からリスト中の接続ＩＤに対応したＢｌｕｅｔｏｏｔｈを受信すると、当該Ｂｌｕｅｔｏｏｔｈを介して、所定のサイネージ端末２００に通信可能に接続する。通信接続部３２０は、通信可能に接続されたサイネージ端末２００から音声情報を受信する。
【００４３】
感圧検知部３３０は、例えば、所定以上の荷重がかかると、内部の抵抗値が低下して通電されることで、感圧を検知することができる。このような感圧検知部３３０は、例えば、図４（Ｂ）に示されるように、壁３１１のおもて面に寄りかかった視聴者Ｐの肩部の領域を含む箇所に設置されている。すなわち、感圧検知部３３０は、視聴者Ｐが壁３１１のおもて面に寄りかかったことを検知することができる。なお、感圧検知部３３０は、上記のような荷重に基づき感圧を検知するものに限らず、壁３１１に接触したことを検知するセンサなどを適用することも可能である。
【００４４】
骨伝導出力部３４０は、例えば、骨伝導スピーカである。このような骨伝導出力部３４０は、例えば、図４（Ｂ）に示されるように、壁３１１のおもて面に寄りかかった視聴者Ｐの頭部部分の領域を含む箇所に設置されている。
【００４５】
次に、このような音声出力装置３００で実行される骨伝導出力処理について、図５を用いて説明する。
図５は、第２の実施の形態の音声出力装置で実行される骨伝導出力処理を示すフローチャートである。
【００４６】
サイネージ端末２００は、通信接続ユニット２３０からＢｌｕｅｔｏｏｔｈを所定の間隔で常に出力している。
このような状態において、音声出力装置３００に主電源が投入されると、音声出力装置３００は以下の処理を実行する。
【００４７】
［ステップＳ１１］  感圧検知部３３０は、感圧を検知することを待機する。
［ステップＳ１２］  感圧検知部３３０が、感圧を検知すると、次の処理は、ステップＳ１３に進められ、感圧の検知を待機している間は、ステップＳ１１に進められる。
【００４８】
例えば、聴覚障害がある視聴者Ｐがサイネージ端末２００の前を通る際、壁３１１に寄りかかると、感圧検知部３３０は、視聴者Ｐの寄りかかりを検知することができる。
［ステップＳ１３］  通信接続部３２０は、サイネージ端末２００からＢｌｕｅｔｏｏｔｈに対応付けられた接続ＩＤを受信すると、予め保持している接続ＩＤリスト内に、当該接続ＩＤが含まれているか否かを判定する。
【００４９】
次の処理は、当該接続ＩＤが接続ＩＤリスト内に含まれている場合には、ステップＳ１４に進められ、当該接続ＩＤが接続ＩＤリスト内に含まれていない場合には、骨伝導出力処理を終了する。
【００５０】
例えば、音声出力装置３００では、視聴者Ｐが壁３１１に寄りかかると、通信接続部３２０が、サイネージ端末２００から受信したＢｌｕｅｔｏｏｔｈに対応付けられた接続ＩＤが接続ＩＤリストに含まれているか否かを判定する。
【００５１】
［ステップＳ１４］  通信接続部３２０は、サイネージ端末２００から受信したＢｌｕｅｔｏｏｔｈを介してサイネージ端末２００と通信可能に接続する。
［ステップＳ１５］  通信接続部３２０は、サイネージ端末２００からＢｌｕｅｔｏｏｔｈを介して受信した音声情報に基づき骨伝導出力部３４０から音声を出力する。
【００５２】
例えば、音声出力装置３００では、通信接続部３２０が、サイネージ端末２００から受信した音声情報を骨伝導出力部３４０から出力すると、壁３１１に寄りかかった視聴者Ｐは、頭部が骨伝導出力部３４０と接触することで、当該音声情報に基づく音声を聞くことができる。
【００５３】
このように、上記サイネージシステム１００では、サイネージ端末２００は、表示ユニット２２０のディスプレイ２２１およびスピーカ２２３と、音声信号を送信する通信接続ユニット２３０とを有している。また、音声出力装置３００は、サイネージ端末２００から受信した音声信号を受信する通信接続部３２０と、視聴者の寄りかかりを感知する感圧検知部３３０と、音声信号に基づき音声を骨伝導により出力する骨伝導出力部３４０とを有している。さらに、音声出力装置３０を壁３１１に設置している。
【００５４】
このため、聴覚障害がある視聴者Ｐが壁３１１に寄りかかると、音声出力装置３００は、感圧検知部３３０で視聴者Ｐの寄りかかりを検知する。音声出力装置３００では、通信接続部３２０が、サイネージ端末２００からＢｌｕｅｔｏｏｔｈを受信して、サイネージ端末２００とＢｌｕｅｔｏｏｔｈを介して接続する。音声出力装置３００は、サイネージ端末２００から受信する音声情報に基づき、骨伝導出力部３４０から音声を出力する。壁３１１に寄りかかる視聴者Ｐは、自身の頭部が骨伝導出力部３４０に接触することで、サイネージ端末２００が出力する音声を聞くことができるようになる。
【００５５】
したがって、視聴者は壁３１１に寄りかかることで、サイネージ端末２００のディスプレイ２２１の表示を観ながら、サイネージ端末２００から出力される音声を聞くことができるようになる。
【００５６】
また、壁３１１が用いられることで、１人の視聴者に限らず、複数の視聴者Ｐに１台のサイネージ端末２００から出力される音声を聞かせることができる。
また、サイネージシステム１００では、音声出力装置３００は視聴者の寄りかかりをトリガーとして、サイネージ端末２００との通信を行う。このため、必要な時だけ音声出力装置３００を駆動するために、電力の消費を抑えることができる。
【００５７】
次に、音声出力装置３００の別の具体例について、図６を用いて説明する。
図６は、第２の実施の形態のサイネージシステムにおける音声出力装置の別の具体例を示す図である。
【００５８】
なお、音声出力装置３００の具体例として、図６（Ａ）は、支柱型を、図６（Ｂ）は、ベンチ型をそれぞれ示している。
音声出力装置３００の別の具体例の１つとして、図６（Ａ）に示されるような支柱型がある。
【００５９】
この場合の音声出力装置３００では、感圧検知部３３０は、支柱３１２の外周面の視聴者Ｐの肩部の領域を含む箇所にそれぞれ設置されている。
また、骨伝導出力部３４０は、壁３１１の外周面の視聴者Ｐの頭部部分の領域を含む箇所に設置されている。
【００６０】
なお、支柱３１２は、例えば、円柱、角柱（三角柱、四角柱…）などを用いることができる。
このような支柱型の音声出力装置３００では、１つの支柱３１２に対して少なくとも１〜４名程度の視聴者Ｐがサイネージ端末２００から出力される音声を聞くことができる。
【００６１】
このため、例えば、サイネージ端末２００に対向する壁がない（設置できない）場合に、サイネージ端末２００の前方の領域に複数の支柱３１２を設置することで、１人の視聴者Ｐに限らず、複数の視聴者Ｐが、１台のサイネージ端末２００のディスプレイ２２１の表示を観ながら、サイネージ端末２００から出力される音声を聞くことができるようになる。
【００６２】
また、音声出力装置３００の別の具体例の１つとして、図６（Ｂ）に示されるようなベンチ型がある。
なお、ベンチ３１３は、少なくとも、視聴者Ｐが座る座面３１４と、座面３１４に座った視聴者Ｐが寄りかかられる背もたれ３１５とを有している。
【００６３】
この場合の音声出力装置３００では、感圧検知部３３０は、座面３１４上に設置されている。
また、骨伝導出力部３４０は、ベンチ３１３の背もたれ３１５に設置されている。
【００６４】
このようなベンチ型の音声出力装置３００では、感圧検知部３３０が視聴者Ｐがベンチ３１３の座面３１４に座ったことを検知すると、背もたれ３１５に寄りかかる視聴者Ｐの頭部に接触する骨伝導出力部３４０が、サイネージ端末２００からの音声を出力することができる。
【００６５】
このため、例えば、サイネージ端末２００に対向する領域に、このようなベンチ３１３を（場合によっては、数台）設置する。そして、視聴者Ｐは、ベンチ３１３の座面３１４に座って、背もたれ３１５に寄りかかってサイネージ端末２００のディスプレイ２２１の表示を観ながら、頭部から骨伝導出力部３４０を介してサイネージ端末２００が出力する音声を聞くことができる。
【００６６】
また、音声出力装置３００がベンチ型である場合にも、１人の視聴者Ｐに限らず、複数の視聴者Ｐが、１台のサイネージ端末２００のディスプレイ２２１の表示を観ながら、サイネージ端末２００から出力される音声を聞くことができるようになる。
【００６７】
［第３の実施の形態］
第３の実施の形態では、複数のサイネージ端末２００が設置している場合に、聴覚障害がある視聴者がサイネージ端末２００ごとに、サイネージ端末２００から出力される音声を聞くことができる場合について説明する。
【００６８】
第３の実施の形態のサイネージシステムについて、図７を用いて説明する。
図７は、第３の実施の形態のサイネージシステムの一例を示す図である。
サイネージシステム１００ａは、複数のサイネージ端末２００ａ，２００ｂ，２００ｃと、音声出力装置６００と、ネットワーク５００を介してサイネージ端末２００ａ，２００ｂ，２００ｃと通信可能に接続されているサーバ４００とを有している。なお、複数のサイネージ端末２００ａ，２００ｂ，２００ｃを総称して、サイネージ端末２００とする。このようなサイネージ端末２００から所定の範囲内に後述するＢｌｕｅｔｏｏｔｈなどの無線が配信されている。
【００６９】
音声出力装置６００は、さらに、携帯端末７００と、携帯端末７００と有線により接続されている音声出力端末８００とを有している。なお、音声出力端末８００は、有線に限らず、Ｂｌｕｅｔｏｏｔｈなどの無線により携帯端末７００と接続することも可能である。
【００７０】
このようなサイネージシステム１００ａは、例えば、催事場、ショッピングセンター、アミューズメント施設などにおいて、出展対象、店舗、遊具ごとにサイネージ端末２００ａ，２００ｂ，２００ｃが設置されて、出展対象、店舗、遊具の説明などを案内する場合が考えられる。
【００７１】
次に、音声出力装置６００の携帯端末７００および音声出力端末８００のハードウェア構成例について図８を用いて説明する。
図８は、第３の実施の形態の携帯端末および音声出力端末のハードウェア構成例を示す図である。
【００７２】
なお、図８（Ａ）は、携帯端末７００の構成例を、図８（Ｂ）は、音声出力端末８００のハードウェア構成例をそれぞれ示している。
携帯端末７００は、制御ユニット７１０と、表示ユニット７２０と、通信接続ユニット７３０と、撮像ユニット７４０と、集音ユニット７６０とを有している。
【００７３】
なお、携帯端末７００が備えるこれらのユニットは、サイネージ端末２００が備える制御ユニット２１０と、表示ユニット２２０と、通信接続ユニット２３０と、撮像ユニット２４０と、集音ユニット２６０と同様の機能を有する。このため、これらのユニットの説明については省略する。
【００７４】
また、音声出力端末８００は、通信接続部８１０および骨伝導出力部８２０を有している。
通信接続部８１０は、携帯端末７００と有線または無線（Ｂｌｕｅｔｏｏｔｈ、赤外線など）で接続する。通信接続部８１０は、携帯端末７００から音声データを受信する。
【００７５】
骨伝導出力部８２０は、例えば、骨伝導スピーカである。このような骨伝導出力部８２０は、通信接続部８１０が携帯端末７００から受信した音声データに基づき音声を出力する。
【００７６】
上記のような音声出力装置６００において、携帯端末７００は、例えば、スマートフォン、携帯電話機、または、サイネージ端末２００ａ，２００ｂ，２００ｃで出力されている音声を出力するための専用機とすることができる。
【００７７】
また、音声出力端末８００は、例えば、図７に示されるようなオーバーヘッド型、または、ネックバンド型、耳掛け型などのヘッドフォンを適用することができる。
次に、サーバ４００が有する機能について、図９を用いて説明する。
【００７８】
図９は、第３の実施の形態のサーバが有する機能を表す機能ブロック図である。
サーバ４００は、情報保持部４０１と、受信部４０２と、配信部４０３とを有している。
【００７９】
情報保持部４０１は、様々な音声データ、音声出力装置３００の骨伝導出力部８２０を識別するスピーカＩＤなどのリストを保持する。情報保持部４０１が保持する情報については後述する（図１１）。
【００８０】
受信部４０２は、携帯端末７００からスピーカＩＤ、ＢｅａｃｏｎＩＤを受信する。
配信部４０３は、情報保持部４０１を参照して、スピーカＩＤのリストに対する携帯端末７００から受信したスピーカＩＤの有無を確認する。配信部４０３は、スピーカＩＤに対応付けられた音声データのＵＲＬを携帯端末７００に通知する。配信部４０３は、携帯端末７００から配信要求があった音声データを携帯端末７００に配信する。
【００８１】
次に、携帯端末７００が有する機能について、図１０を用いて説明する。
図１０は、第３の実施の形態の携帯端末が有する機能を表す機能ブロック図である。
携帯端末７００は、設定情報保持部７０１と、送受信部７０２と、音声出力処理部７０３とを有している。
【００８２】
設定情報保持部７０１は、予め、音声出力端末８００を識別するスピーカＩＤを保持する。また、設定情報保持部７０１は、各サイネージ端末２００から受信するＢｅａｃｏｎＩＤと、サーバ４００から受信する音声データの格納先であるＵＲＬ（Uniform Resource Locator）を保持する。設定情報保持部７０１が保持する情報については後述する（図１１）。
【００８３】
送受信部７０２は、各サイネージ端末２００ａ，２００ｂ，２００ｃと無線にて通信を行って、各サイネージ端末２００に割り当てられたＢｅａｃｏｎＩＤを受信する。送受信部７０２は、サーバ４００と通信を行って、サーバ４００から音声データを受信する。
【００８４】
音声出力処理部７０３は、サーバ４００から配信された音声データを、音声出力端末８００に送信して、音声出力端末８００から当該音声データに基づく音声を出力させる。
次に、上記サイネージシステム１００ａのサイネージ端末２００と、音声出力装置６００（携帯端末７００）と、サーバ４００とが保持する各種情報について、図１１を用いて説明する。
【００８５】
図１１は、第３の実施の形態のサイネージシステムで用いられる情報を説明するための図である。
なお、図１１（Ａ）は、複数のサイネージ端末２００のうち、例えば、サイネージ端末２００ａが保持する情報、図１１（Ｂ）は、音声出力装置６００（携帯端末７００の設定情報保持部７０１）が保持する情報、図１１（Ｃ）は、サーバ４００（情報保持部４０１）が保持する情報をそれぞれ示している。
【００８６】
サイネージ端末２００は、少なくとも、サイネージ端末２００を識別するサイネージＩＤと、Ｂｌｕｅｔｏｏｔｈの発信機を識別するＢｅａｃｏｎＩＤと、音声データとを有している。
【００８７】
例えば、図１１（Ａ）に示すサイネージ端末２００ａは、サイネージＩＤ（ｄｓ１０００１１０１）と、ＢｅａｃｏｎＩＤ（１０００１１０１）と、音声データ（Ｓｏｕｎｄ１０００１１０１．ｗａｖ）とを有している。
【００８８】
音声出力装置６００の携帯端末７００は、サイネージ端末２００で出力されている音声を音声出力端末８００から出力させる際には、以下の情報を保持している。すなわち、音声出力装置６００の携帯端末７００（設定情報保持部７０１）は、図１１（Ｂ）に示されるように、音声出力装置６００が備える骨伝導出力部８２０を識別するスピーカＩＤ（ＳＰ１００１）と、サイネージ端末２００から受信したＢｅａｃｏｎＩＤと、受信した音声データのＵＲＬとを保持している。
【００８９】
サーバ４００（情報保持部４０１）は、図１１（Ｃ）に示されるように、ＢｅａｃｏｎＩＤと、当該ＢｅａｃｏｎＩＤにそれぞれ対応付けた、サイネージ端末２００も保持する音声データを保持する。
【００９０】
また、サーバ４００（情報保持部４０１）は、図１１（Ｃ）以外に、事前に音声出力装置６００ごとのスピーカＩＤのリストを保持している。
次に、このような構成および情報を有するサイネージシステム１００ａで実行される音声出力処理について、図１２を用いて説明する。
【００９１】
図１２は、第３の実施の形態のサイネージシステムで実行される音声出力処理を示すシーケンスである。
［ステップＳ２１］  各サイネージ端末２００（ここでは、サイネージ端末２００ａ）は、例えば、８００ｍｓの間隔でＢｅａｃｏｎＩＤをＢｌｕｅｔｏｏｔｈを介して発信している。
【００９２】
［ステップＳ２２］  音声出力装置６００の携帯端末７００の送受信部７０２は、サイネージ端末２００から受信したＢｅａｃｏｎＩＤと共に、音声出力装置６００（携帯端末７００）が予め保持するスピーカＩＤをサーバ４００に送信する。
【００９３】
［ステップＳ２３］  サーバ４００の配信部４０３は、事前に保持するスピーカＩＤのリストを参照して、受信したスピーカＩＤが登録済みか否かを判定する。
［ステップＳ２４］  サーバ４００の配信部４０３は、受信したスピーカＩＤがリストに登録されている場合には、図１１（Ｂ）に示したリストを参照して、音声出力装置６００の携帯端末７００に対して、受信したＢｅａｃｏｎＩＤに対応付けられた音声データの格納先のＵＲＬを送信する。
【００９４】
なお、サーバ４００の配信部４０３は、受信したスピーカＩＤがリストに登録されていない場合には、音声出力装置６００の携帯端末７００に対して、登録エラーを送信して、音声出力処理を終了する。
【００９５】
また、サーバ４００の配信部４０３は、受信したＢｅａｃｏｎＩＤに対応付けられた音声データを保持していない場合にも、音声出力装置６００の携帯端末７００に対して、登録エラーを送信して、音声出力処理を終了する。
【００９６】
［ステップＳ２５］  音声出力装置６００の携帯端末７００の送受信部７０２（配信要求部）は、サーバ４００から音声データの格納先のＵＲＬを適切に受信すると、当該ＵＲＬに基づき、サーバ４００に対して、音声データの配信要求を問い合わせる。
【００９７】
［ステップＳ２６］  サーバ４００の配信部４０３は、問い合わせがあった音声データを音声出力装置６００の携帯端末７００に配信する。
［ステップＳ２７］  音声出力装置６００の携帯端末７００の送受信部７０２は、サーバ４００から配信された音声データを音声出力端末８００に送信する。
【００９８】
音声出力装置６００の音声出力端末８００の骨伝導出力部８２０は、携帯端末７００から送信された音声データを骨伝導により出力する。
次に、図１２のシークエンスにおける音声出力装置６００の携帯端末７００で実行される音声出力処理の詳細について、図１３および図１４を用いて説明する。
【００９９】
図１３は、第３の実施の形態の携帯端末で実行される音声出力処理を示すフローチャートである。
図１４は、第３の実施の形態の携帯端末で実行される音声出力処理で携帯端末が受信する情報を説明するための図である。
【０１００】
なお、図１４（Ａ）は、携帯端末７００の設定情報保持部７０１が保持する各種情報の初期時、図１４（Ｂ）は、携帯端末７００の設定情報保持部７０１が保持する各種情報のＢｅａｃｏｎＩＤの受信時、図１４（Ｃ）は、携帯端末７００の設定情報保持部７０１が保持する各種情報の音声データの格納先のＵＲＬの受信時をそれぞれ表している。
【０１０１】
携帯端末７００に電源が投入されると、携帯端末７００では以下の処理が実行される。
［ステップＳ４１］  携帯端末７００の音声出力処理部７０３は、前回受信したＢｅａｃｏｎＩＤ、音声データの格納先のＵＲＬ、サーバ４００に対する送信リトライ回数などをクリアして、初期化する。
【０１０２】
なお、初期化により、図１４（Ａ）に示されるように、携帯端末７００の設定情報保持部７０１には、スピーカＩＤのみが保持されており、その他の情報はクリアされる。
［ステップＳ４２］  携帯端末７００の送受信部７０２は、サイネージ端末２００からのＢｅａｃｏｎＩＤの受信を待ち受ける。
【０１０３】
［ステップＳ４３］  携帯端末７００の送受信部７０２は、サイネージ端末２００からＢｅａｃｏｎＩＤを受信したか否かを判定する。
次の処理は、携帯端末７００の送受信部７０２が、サイネージ端末２００からＢｅａｃｏｎＩＤを受信しない間は、ステップＳ４４に進められ、サイネージ端末２００からＢｅａｃｏｎＩＤを受信すると、ステップＳ４５に進められる。
【０１０４】
［ステップＳ４４］  携帯端末７００の音声出力処理部７０３は、携帯端末７００の電源がＯＮであるか否かを判定する。
次の処理は、携帯端末７００の電源がＯＮである場合には、再び、ステップＳ４２に進められ、携帯端末７００の電源がＯＮではない（ＯＦＦである）場合には、音声出力処理が終了する。
【０１０５】
［ステップＳ４５］  携帯端末７００の送受信部７０２がサイネージ端末２００からＢｅａｃｏｎＩＤを受信すると、携帯端末７００の音声出力処理部７０３は、図１４（Ｂ）に示されるように、受信したＢｅａｃｏｎＩＤを設定情報保持部７０１にセットする。
【０１０６】
［ステップＳ４６］  携帯端末７００の送受信部７０２は、受信したＢｅａｃｏｎＩＤと共に、スピーカＩＤをサーバ４００に送信する。
［ステップＳ４７］  携帯端末７００の送受信部７０２は、サーバ４００からＢｅａｃｏｎＩＤに対応する音声データの格納先のＵＲＬの受信を所定時間待ち受ける。
【０１０７】
次の処理は、サーバ４００から音声データの格納先のＵＲＬを受信すると、ステップＳ４８に進められ、サーバ４００から音声データの格納先のＵＲＬを所定時間経過しても受信しなければ、ステップＳ５０に進められる。
【０１０８】
［ステップＳ４８］  携帯端末７００の音声出力処理部７０３は、受信した音声データの格納先のＵＲＬを受信すると、図１４（Ｃ）に示されるように、受信したＵＲＬを設定情報保持部７０１にセットする。
【０１０９】
［ステップＳ４９］  携帯端末７００の音声出力処理部７０３は、受信したＵＲＬにアクセスしてサーバ４００に音声データの配信を問い合わせて、サーバ４００から音声データが配信される。
【０１１０】
携帯端末７００の送受信部７０２は、サーバ４００から配信された音声データを音声出力端末８００に送信する。
音声出力装置６００の音声出力端末８００の骨伝導出力部８２０は、送信された音声データに基づき骨伝導によりサイネージ端末２００から出力されている音声を出力する。
【０１１１】
これにより、音声出力装置６００の音声出力端末８００を装着した聴覚障害がある視聴者Ｐは、サイネージ端末２００からの音声を聞くことができるようになる。
［ステップＳ５０］  携帯端末７００の音声出力処理部７０３は、リトライ回数を計数して、リトライ回数が、例えば、３回以上であるか否かを判定する。
【０１１２】
次の処理は、リトライ回数が、３回以上ではない（３回未満である）場合には、ステップＳ５１に進められ、リトライ回数が、３回以上である場合には、ステップＳ５２に進められる。
【０１１３】
［ステップＳ５１］  携帯端末７００の音声出力処理部７０３は、リトライ回数に１を追加する。次の処理は、再び、ステップＳ４６に進められる。
なお、この際、携帯端末７００の音声出力処理部７０３は、設定情報保持部７０１にてリトライ回数（図示を省略）を更新する。
【０１１４】
［ステップＳ５２］  携帯端末７００の音声出力処理部７０３は、例えば、携帯端末７００のディスプレイ７２１に、音声データの配信がエラーである旨を出力する。
または、携帯端末７００の音声出力処理部７０３は、音声出力端末８００の骨伝導出力部８２０から音声データの配信がエラーであることを出力させる。
【０１１５】
この後、携帯端末７００の音声出力処理部７０３は、音声出力処理を終了する。
［ステップＳ５３］  携帯端末７００の送受信部７０２は、サイネージ端末２００からＢｅａｃｏｎＩＤを再び受信したか否かを判定する。
【０１１６】
次の処理は、サイネージ端末２００からＢｅａｃｏｎＩＤを再び受信していない場合には、音声出力処理を終了し、サイネージ端末２００からＢｅａｃｏｎＩＤを再び受信したら、ステップＳ５４に進められる。
【０１１７】
［ステップＳ５４］  携帯端末７００の音声出力処理部７０３は、サイネージ端末２００から再び受信したＢｅａｃｏｎＩＤが、既に保持しているＢｅａｃｏｎＩＤと同一であるか否かを判定する。
【０１１８】
次の処理は、サイネージ端末２００から再び受信したＢｅａｃｏｎＩＤが、既に保持しているＢｅａｃｏｎＩＤと同一である場合には、ステップＳ５５に進められ、サイネージ端末２００から再び受信したＢｅａｃｏｎＩＤが、既に保持しているＢｅａｃｏｎＩＤと同一ではない場合には、ステップＳ５６に進められる。
【０１１９】
［ステップＳ５５］  携帯端末７００の音声出力処理部７０３は、現在、配信されている音声データに基づき音声出力端末８００が音声出力中であるか否かを判定する。
次の処理は、現在、音声出力端末８００が音声出力中である場合には、再び、ステップＳ５３に進められ、現在、音声出力端末８００が音声出力中ではない場合には、再び、ステップＳ４９に進められる。
【０１２０】
［ステップＳ５６］  携帯端末７００の音声出力処理部７０３は、設定情報保持部７０１が保持する情報を初期化する。
この初期化によって、図１４（Ａ）に示した状態に戻る。
【０１２１】
上記のようなサイネージシステム１００によれば、聴覚障害がある視聴者Ｐが音声出力端末８００を頭部に装着し、携帯端末７００を保持した状態で、サイネージ端末２００ａのＢｌｕｅｔｏｏｔｈの配信範囲に入る。すると、図１２（ならびに図１３）の処理により、視聴者Ｐは、サイネージ端末２００ａのディスプレイ２２１を観ながら、自動的に、サイネージ端末２００ａが出力する音声を音声出力端末８００から骨伝導により聞くことができる。
【０１２２】
そして、視聴者Ｐは、移動して、サイネージ端末２００ｂのＢｌｕｅｔｏｏｔｈの配信範囲に入ると、上記と同様に、図１２（ならびに図１３）の処理により、サイネージ端末２００ｂのディスプレイ２２１を観ながら、自動的に、サイネージ端末２００ｂが出力する音声を音声出力端末８００から骨伝導により聞くことができる。
【０１２３】
このようにして、視聴者Ｐは、サイネージシステム１００内では、複数のサイネージ端末２００ごとにサイネージ端末２００から出力される音声を自動的に聞くことができるようになる。
【０１２４】
［第４の実施の形態］
第４の実施の形態では、第２の実施の形態のサイネージシステム１００（図２）において、環境音が騒がしくても、サイネージ端末２００から出力される音声を聞く方法について説明する。
【０１２５】
なお、第４の実施の形態でも、第２の実施の形態のサイネージシステム１００が有するサイネージ端末２００および音声出力装置３００が用いられる。
また、第４の実施の形態では、音声出力装置３００は壁型として説明するが、支柱型およびベンチ型（図６）であっても構わない。
【０１２６】
まず、サイネージ端末２００が有する機能を表す機能ブロック図について、図１５を用いて説明する。
図１５は、第４の実施の形態のサイネージ端末が有する機能を表す機能ブロック図である。
【０１２７】
サイネージ端末２００は、音声出力処理部２０１と、出力切替処理部２０２とを有している。
音声出力処理部２０１は、サイネージ端末２００と音声出力装置３００とをＢｌｕｅｔｏｏｔｈなどの無線で通信可能に接続して、サイネージ端末２００が出力している音声を、音声出力装置３００から出力させる。
【０１２８】
出力切替処理部２０２（送信部）は、サイネージ端末２００の集音ユニット２６０が集音した環境音の大きさに応じて、音声出力処理部２０１から音声出力装置３００に音声データを送信して、音声出力装置３００から骨伝導による音声出力を行わせる。この際、出力切替処理部２０２は、サイネージ端末２００のディスプレイ２２１に壁３１１に寄りかかるような案内を表示させる。また、出力切替処理部２０２は、サイネージ端末２００の集音ユニット２６０が集音した環境音の大きさに応じて、音声出力処理部２０１に音声出力装置３００から骨伝導による音声出力を停止させる。
【０１２９】
次に、このような機能を有するサイネージ端末２００で実行される骨伝導出力切替処理について、図１６および図１７を用いて説明する。
図１６は、第４の実施の形態のサイネージ端末で実行される骨伝導出力切替処理を示すフローチャートである。
【０１３０】
図１７は、第４の実施の形態の骨伝導出力切替処理中にサイネージ端末で表示される案内例を示す図である。
サイネージ端末２００では、ディスプレイ２２１から画像または動画が出力されていると共に、スピーカ２２３から出力されている画像または動画に付随して音声が出力されているとする。
【０１３１】
このような場合において、サイネージ端末２００では以下の処理を行う。
［ステップＳ６１］  サイネージ端末２００の出力切替処理部２０２は、集音ユニット２６０により環境音を集音する。
【０１３２】
［ステップＳ６２］  サイネージ端末２００の出力切替処理部２０２は、ステップＳ６１で集音した環境音が所定の大きさ以上であるか否かを判定する。
次の処理は、環境音が所定の大きさ以上である場合には、ステップＳ６３に進められ、環境音が所定の大きさ以上ではない（所定の大きさ未満である）場合には、ステップＳ６７に進められる。
【０１３３】
［ステップＳ６３］  サイネージ端末２００の音声出力処理部２０１は、通信接続ユニット２３０から、例えば、Ｂｌｕｅｔｏｏｔｈなどの無線を所定の時間間隔で出力させて、サイネージ端末２００と音声出力装置３００とを当該無線での接続を実行する。
【０１３４】
［ステップＳ６４］  サイネージ端末２００の音声出力処理部２０１は、音声出力装置３００から接続完了の通知を待ち受ける。
次の処理は、サイネージ端末２００の音声出力処理部２０１が、音声出力装置３００から接続完了通知を受信するまで、ステップＳ６３を繰り返し実行し、音声出力装置３００から接続完了通知を受信すると、ステップＳ６５に進められる。
【０１３５】
［ステップＳ６５］  サイネージ端末２００の出力切替処理部２０２は、サイネージ端末２００の画像または動画などを表示中であるディスプレイ２２１に対して、例えば、図１６に示されるように、視聴者Ｐに壁３１１に寄りかかるような案内を表示させる。これにより、視聴者Ｐを壁３１１に寄りかかるように促す。
【０１３６】
［ステップＳ６６］  サイネージ端末２００の音声出力処理部２０１は、無線を介してサイネージ端末２００が出力している音声の音声データを、音声出力装置３００に配信する。
【０１３７】
音声出力装置３００では、配信された音声データに基づき、骨伝導出力部３４０から骨伝導により音声を出力する。
音声出力装置３００は、サイネージ端末２００からの配信が終了するまで、骨伝導出力部から音声を出力させる。
【０１３８】
［ステップＳ６７］  サイネージ端末２００の音声出力処理部２０１は、サイネージ端末２００から出力されている音声が、音声出力装置３００から出力されているか否かを判定する。
【０１３９】
次の処理は、サイネージ端末２００から出力されている音声が、音声出力装置３００から出力されていない場合には、再び、ステップＳ６１に進められ、サイネージ端末２００から出力されている音声が、音声出力装置３００から出力されている場合には、ステップＳ６８に進められる。
【０１４０】
［ステップＳ６８］  サイネージ端末２００の音声出力処理部２０１は、音声出力装置３００との無線での接続を解除する。
そして、骨伝導出力切替処理を終了する。
【０１４１】
上記のサイネージシステム１００におけるサイネージ端末２００は、環境音が所定の大きさ以上になった場合、音声出力装置３００と無線で接続する。そして、サイネージ端末２００は、視聴者に音声出力装置３００の壁３１１に寄りかかるような案内をディスプレイ２２１に表示し、サイネージ端末２００から出力されている音声を、音声出力装置３００から骨伝導により出力させる。
【０１４２】
これにより、視聴者は、環境音が大きいためにサイネージ端末２００から出力される音声が聞き取りにくくても、当該音声を音声出力装置３００の壁３１１から骨伝導を介して聞くことができるようになる。
【０１４３】
このようなサイネージ端末２００は、音声を音声出力装置３００の壁３１１から骨伝導を介して出力している間に、環境音が小さくなった場合には、音声出力装置３００との無線での接続を解除して、サイネージ端末２００のスピーカ２２３のみからの音声の出力を行う。
【０１４４】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１４５】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリなどがある。磁気記憶装置には、ＨＤＤ（Hard Disk Drive）、フレキシブルディスク（ＦＤ）、磁気テープ（ＭＴ）などがある。光ディスクには、ＤＶＤ（Digital Versatile Disc）、ＤＶＤ−ＲＡＭ（Random Access Memory）、ＣＤ（Compact Disc）−ＲＯＭ、ＣＤ−Ｒ（Recordable）／ＲＷ（ReWritable）などがある。光磁気記憶媒体には、ＭＯ（Magneto - Optical disk）などがある。半導体メモリには、ＵＳＢ（Universal Serial Bus）メモリなどのフラッシュメモリがある。
【０１４６】
上記プログラムを流通させる場合には、例えば、そのプログラムが記録されたＤＶＤ、ＣＤ−ＲＯＭなどの可搬型記録媒体が販売される。また、プログラムをサーバコンピュータに格納しておき、ネットワークを介して、サーバコンピュータから他のコンピュータにそのプログラムを転送することもできる。
【０１４７】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１４８】
また、プログラムで記述された処理の一部または全てを、電子回路に置き換えることが可能である。例えば、上記の処理機能の少なくとも一部を、ＤＳＰ、ＡＳＩＣ（Application Specific Integrated Circuit）、ＰＬＤ（Programmable Logic Device）などの電子回路で実現してもよい。
【０１４９】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【０１５０】
以上の実施形態に関し、更に以下の付記を開示する。
（付記１）
音声情報に基づき音声を出力する音声出力部と、
環境音を集音する集音部と、
前記環境音の大きさに応じて、前記音声情報を送信する送信部と、
を備えるサイネージ端末と、
前記音声情報を受信する受信部と、
前記音声情報に基づき前記音声を骨伝導により出力する骨伝導出力部と、
を備える音声出力装置と、
を有するサイネージシステム。
【符号の説明】
【０１５１】
１０  サイネージシステム
２０  サイネージ端末
２１  表示部
２２  音声出力部
２３  送信部
３０  音声出力装置
３１  受信部
３２  骨伝導出力部
【図１】
2018074367.tif 000003
【図２】
2018074367.tif 000004
【図３】
2018074367.tif 000005
【図４】
2018074367.tif 000006
【図５】
2018074367.tif 000007
【図６】
2018074367.tif 000008
【図７】
2018074367.tif 000009
【図８】
2018074367.tif 000010
【図９】
2018074367.tif 000011
【図１０】
2018074367.tif 000012
【図１１】
2018074367.tif 000013
【図１２】
2018074367.tif 000014
【図１３】
2018074367.tif 000015
【図１４】
2018074367.tif 000016
【図１５】
2018074367.tif 000017
【図１６】
2018074367.tif 000018
【図１７】
2018074367.tif 000019